(57)【特許請求の範囲】
【請求項１】
取付ベースと、前記取付ベースに軸を介して回動可能に連結され、前記軸に対して略直角方向に延びるストッパーレバーとを備え、引き出し式の物品の出し入れ口若しくは出し入れ面の縁部に当該物品に係合可能に設置されて当該物品の移動を規制するストッパー、又は回動式の物品の回動経路上に当該物品の回動端に係合可能に設置されて当該物品を支持するストッパーであって、
前記軸は、前記取付ベースに略軸状に突出して形成され、内部に前記取付ベースを開口されて貫通しかつ前記取付ベース側の端部を拡径された貫通穴を有する固定軸と、前記ストッパーレバーの一部に２重の略筒状に形成され、内部にねじ孔を有し、前記取付ベースの前記固定軸の貫通穴に嵌挿可能な内側の軸、及び前記取付ベースの前記固定軸の外周面上に外嵌可能な外側の軸の２重構造の軸とからなり、前記ストッパーレバーの前記内側の軸が前記取付ベースの前記固定軸の貫通穴に嵌挿され、前記外側の軸が前記固定軸の外周面上に外嵌されて、前記取付ベースの前記固定軸の貫通穴の前記取付ベース側の端部に圧縮コイルスプリングが挿入されて前記ストッパーレバーの前記内側の軸の周囲に巻装され、前記取付ベースの前記貫通穴に前記取付ベースの開口側からねじを通し、前記ストッパーレバーの前記内側の軸の前記ねじ孔に締め込まれて、前記取付ベースに前記ストッパーレバーは前記軸を回動中心として３６０°回動可能に取り付けられ、
前記軸の軸芯回りで前記取付ベースと前記ストッパーレバーとの間に、前記取付ベース上で前記ストッパーレバーを所定の角度単位に位置決めする位置決め係合部を備え、
前記ストッパーレバーに、前記ストッパーレバーの回動に連動して、前記ストッパーレバーが前記所定の角度単位の位置に位置決めされた状態、又は前記ストッパーレバーが前記所定の角度単位の位置に位置決めされていない状態を表示するインジケータを備え、
前記インジケータは、前記取付ベースの前記固定軸の先端縁部又は外周面に前記ストッパーレバーの所定の角度単位での位置決めに対応して前記所定の角度の間隔で分割して形成され、それぞれに、前記ストッパーレバーが所定の角度単位の位置に位置決めされた状態を表示するための表示部材を付設された複数の表示部材付設部と、前記ストッパーレバーの２重構造の軸の、前記取付ベースの前記固定軸に設けられた任意の１箇所の表示部材付設部に対応する位置に、前記表示部材の平面積と略同じ大きさに又は少し小さく形成され、前記表示部材を外部に表示するための表示窓とからなる、
ことを特徴とするストッパー。
【請求項２】
インジケータにより表示するストッパーレバーが所定の角度単位の位置に位置決めされた状態は、前記ストッパーレバーが物品に対して係合された態様と、前記ストッパーレバーが物品から離間して収納された態様と、前記ストッパーレバーが物品に対して係合されていない態様があり、前記各態様で異なる表示とする請求項１に記載のストッパー。
【請求項３】
位置決め係合部は、ストッパーレバーの外側の軸の先端縁部と前記先端縁部に対応する取付ベースの固定軸の周囲との間に、前記ストッパーレバーを前記取付ベースに所定の角度単位で相互に係合して位置決め可能な凹凸形状部からなる請求項１又は２に記載のストッパー。
【請求項４】
ストッパーレバーは軸に対して直角の１方向又は２方向に延びる請求項１乃至３のいずれかに記載のストッパー。
【発明の詳細な説明】
【技術分野】
【０００１】
本発明は、引き出し式の物品にその出し入れ口（又は出し入れ面）で係合して当該物品の移動を規制するストッパー、又は回動式の物品の回動端に係合して当該物品を支持するストッパーに関する。
【背景技術】
【０００２】
一般にこの種のストッパーは、取付ベースと、取付ベースに軸を介して回動可能に連結され、軸に対して略直角方向に延びるストッパーレバーとを備えて構成され、例えば、航空機に搭載され乗客などに飲食物を提供するためのギャレーにサービスカートを静止させるのに用いるなど、引き出し式の物品の出し入れ口若しくは出し入れ面の縁部に当該物品に係合可能に設置されて当該物品の移動を規制するのに使用したり、また例えば、乗り物用シートのシートバック背面にテーブルを収納保持するのに用いるなど、回動式の物品の回動経路上に当該物品の回動端に係合可能に設置されて当該物品を支持するのに使用されたりしている。このストッパーは、使用の際に、ストッパーレバーを手操作により回して、これを物品に係合させるだけなので、使い方が簡単であることが大きな利点である。
【先行技術文献】
【特許文献】
【０００３】
【特許文献１】特開２００５−１０４４３０公報
【特許文献１】特開２００４−１２１４２５公報
【発明の概要】
【発明が解決しようとする課題】
【０００４】
しかしながら、この種のストッパーは、ストッパーレバーの回動位置が適切か否かを確認する手段がないため、ストッパーレバーの回動位置（停止位置）がユーザー毎に異なって、ストッパーが正しく使用されないことがあり、このような場合、このストッパーの物品の移動規制や物品の支持といった機能を十分に果たせないおそれがある、という問題がある。
【０００５】
本発明は、このような従来の問題を解決するものであり、この種のストッパーにおいて、ユーザーがストッパーレバーを適切な回動位置まで回したことを手の操作感覚で得られ、併せてストッパーレバーが適切な回動位置にあること、又は適切な回動位置にないこと、を目視で瞬時に確認することができ、ユーザーがストッパーレバーの回動位置を常に適切な位置に回動して、物品の移動規制や支持を確実に行えるようにすること、を目的とする。
【課題を解決するための手段】
【０００６】
上記目的を達成するために、本発明は、
取付ベースと、前記取付ベースに軸を介して回動可能に連結され、前記軸に対して略直角方向に延びるストッパーレバーとを備え、引き出し式の物品の出し入れ口若しくは出し入れ面の縁部に当該物品に係合可能に設置されて当該物品の移動を規制するストッパー、又は回動式の物品の回動経路上に当該物品の回動端に係合可能に設置されて当該物品を支持するストッパーであって、
前記軸は、前記取付ベースに略軸状に突出して形成され、内部に前記取付ベースを開口されて貫通しかつ前記取付ベース側の端部を拡径された貫通穴を有する固定軸と、前記ストッパーレバーの一部に２重の略筒状に形成され、内部にねじ孔を有し、前記取付ベースの前記固定軸の貫通穴に嵌挿可能な内側の軸、及び前記取付ベースの前記固定軸の外周面上に外嵌可能な外側の軸の２重構造の軸とからなり、前記ストッパーレバーの前記内側の軸が前記取付ベースの前記固定軸の貫通穴に嵌挿され、前記外側の軸が前記固定軸の外周面上に外嵌されて、前記取付ベースの前記固定軸の貫通穴の前記取付ベース側の端部に圧縮コイルスプリングが挿入されて前記ストッパーレバーの前記内側の軸の周囲に巻装され、前記取付ベースの前記貫通穴に前記取付ベースの開口側からねじを通し、前記ストッパーレバーの前記内側の軸の前記ねじ孔に締め込まれて、前記取付ベースに前記ストッパーレバーは前記軸を回動中心として３６０°回動可能に取り付けられ、
前記軸の軸芯回りで前記取付ベースと前記ストッパーレバーとの間に、前記取付ベース上で前記ストッパーレバーを所定の角度単位に位置決めする位置決め係合部を備え、
前記ストッパーレバーに、前記ストッパーレバーの回動に連動して、前記ストッパーレバーが前記所定の角度単位の位置に位置決めされた状態、又は前記ストッパーレバーが前記所定の角度単位の位置に位置決めされていない状態を表示するインジケータを備え、
前記インジケータは、前記取付ベースの前記固定軸の先端縁部又は外周面に前記ストッパーレバーの所定の角度単位での位置決めに対応して前記所定の角度の間隔で分割して形成され、それぞれに、前記ストッパーレバーが所定の角度単位の位置に位置決めされた状態を表示するための表示部材を付設された複数の表示部材付設部と、前記ストッパーレバーの２重構造の軸の、前記取付ベースの前記固定軸に設けられた任意の１箇所の表示部材付設部に対応する位置に、前記表示部材の平面積と略同じ大きさに又は少し小さく形成され、前記表示部材を外部に表示するための表示窓とからなる、
ことを要旨とする。
このストッパーはまた、各部が次のように具体化されることが好ましい。
（１）インジケータにより表示するストッパーレバーが所定の角度単位の位置に位置決めされた状態は、前記ストッパーレバーが物品に対して係合された態様と、前記ストッパーレバーが物品から離間して収納された態様と、前記ストッパーレバーが物品に対して係合されていない態様があり、前記各態様で異なる表示とする。
（２）位置決め係合部は、ストッパーレバーの外側の軸の先端縁部と前記先端縁部に対応する取付ベースの固定軸の周囲との間に、前記ストッパーレバーを前記取付ベースに所定の角度単位で相互に係合して位置決め可能な凹凸形状部からなる。
（３）ストッパーレバーは軸に対して直角の１方向又は２方向に延びる。
【発明の効果】
【０００７】
本発明のストッパーによれば、ストッパーレバーを取付ベースに軸を介して当該軸を回動中心として３６０°回動可能に取り付け、軸の軸芯回りで取付ベースとストッパーレバーとの間に、取付ベース上でストッパーレバーを所定の角度単位に位置決めする位置決め係合部を設けたので、ユーザーはストッパーレバーを適切な回動位置まで回したことを手の操作感覚で得ることができ、また、ストッパーレバーに、このストッパーレバーの回動に連動してストッパーレバーが所定の角度単位の位置に位置決めされた状態、又はストッパーレバーが所定の角度単位の位置に位置決めされていない状態を表示するインジケータを備えたので、ストッパーレバーが適切な回動位置（停止位置）にあること、又は適切な回動位置（停止位置）にないこと、を目視で瞬時に確認することができ、これらの機能により、ユーザーはストッパーレバーの回動位置を常に適切な位置に回動して、物品の移動規制や支持を確実に行うことができる、という本発明独自の格別な効果を奏する。
そして、特にこのストッパーでは、ストッパーレバーを取付ベースに、取付ベースに略軸状に突出して形成された取付ベース側の固定軸とストッパーレバーの内部に形成されたストッパーレバー側の２重構造の軸とからなる軸により、圧縮コイルスプリング、及び取付ねじを介して取り付けるので、簡単な構造で、ストッパーレバーを軸を回動中心として３６０°回動可能に取り付けることができ、そして、この取付ベースとストッパーレバーとの取付構造を利用して、インジケータを、取付ベースの固定軸の先端縁部をストッパーレバーの所定の角度単位での位置決めに対応して所定の角度の間隔で分割して形成し、それぞれに、ストッパーレバーが所定の角度単位の位置に位置決めされた状態を表示するための表示部材を付設した複数の表示部材付設部と、ストッパーレバーの２重構造の軸の、取付ベースの固定軸に形成された任意の１箇所の表示部材付設部に対応する位置に、表示部材の平面積と略同じ大きさに又は少し小さく形成し、表示部材を外部に表示するための表示窓とにより構成したので、簡単な構造で、ストッパーレバーが物品から離間して収納された態様で、ストッパーレバーが所定の角度単位の位置に位置決めされた状態、又はストッパーレバーが物品に対して係合された態様で、ストッパーレバーが所定の角度単位の位置に位置決めされた状態、又はストッパーレバーが物品に対して係合されていない態様で、ストッパーレバーが所定の角度単位の位置に位置決めされた状態、又はストッパーレバーが所定の角度単位の位置に位置決めされていない状態を表示することができる、という格別な効果を併せて有する。
【図面の簡単な説明】
【０００８】
【図１】本発明の一実施の形態におけるストッパーを示す斜視図
【図２】同ストッパーの正面図
【図３】同ストッパーの背面図
【図４】同ストッパーの右側面図
【図５】同ストッパーの左側面図
【図６】同ストッパーの平面図
【図７】同ストッパーの底面図
【図８】同ストッパーの断面側面図
【図９】同ストッパーの一部破断正面図
【図１０】同ストッパーを引き出しの縁部に引き出しに係合可能に設置して当該引き出しの移動を規制するストッパーとして使用する場合を示す図
【図１１】同ストッパーをギャレーの縁部に設置してサービスカートの移動を規制するストッパーとして使用する場合を示す図
【図１２】同ストッパーをシートバックの背面に設置してテーブルを支持するストッパーとして使用する場合を示す図
【図１３】同ストッパーを蓋付きのボックスに設置してテーブルとして利用する蓋を支持するストッパーとして使用する場合を示す図
【図１４】同ストッパーの使用状態（ストッパーレバーの収納状態）を示す正面図
【図１５】同ストッパーの使用状態（ストッパーレバーのロック状態）を示す正面図
【図１６】同ストッパーの使用状態（ストッパーレバーのアンロック状態）を示す正面図
【発明を実施するための形態】
【０００９】
次に、この発明を実施するための形態について図を用いて説明する。図１乃至図９にストッパーの構成を示している。
【００１０】
図１に示すように、ストッパーＳは、引き出し式の物品の出し入れ口若しくは出し入れ面の縁部に当該物品に係合可能に設置されて当該物品の移動を規制するストッパーとして、又は回動式の物品の回動経路上に当該物品の回動端に係合可能に設置されて当該物品を支持するストッパーとして、多目的に使用するもので、取付ベース１と、取付ベース１に軸２を介して回動可能に連結され、軸２に対して略直角方向に延びるストッパーレバー３とを備えて構成される。
【００１１】
取付ベース１は、図２乃至図７に示すように、亜鉛ダイカストなどの金属材料や合成樹脂材料などにより、略長方形の平板状に形成され、左右両側にそれぞれ取付ねじのためのねじ挿通穴１０が穿設され、図８、図９に示すように、一方の面の中央（左右両側の各ねじ挿通穴１０の間）に後述する固定軸１１が突設される。
ストッパーレバー３は、図２乃至図７に示すように、亜鉛ダイカストなどの金属材料や合成樹脂材料などにより、一端が略円筒状に形成されて、円形の正面部３１と円筒状の周面部３２とからなり、他端側がこの円筒状の一端から縦に細く長い箱形に形成されて、細長い矩形状の正面部３３と一端の周面部３２に連続する左右の側面部３４と他端となる底面部３５とからなり、この他端側の各側面部３４は底面部３５側が底面部３５とともに延長されて側面視略Ｌ字形に形成され、他端から一端に向けて所定の範囲が略台形の凸状３６になっている。なお、このストッパーレバー３の内部は中空で補強部が形成され、背面側は開口される。
【００１２】
ストッパーレバー３は、図２乃至図７に示すように、取付ベース１に軸２を介してこの軸２を回動中心として３６０°回動可能に取り付けられる。この場合、軸２は、図８、図９に示すように、取付ベース１に略軸状に突出して形成された取付ベース側の固定軸１１と、ストッパーレバー３の内部に形成されたストッパーレバー側の２重構造の軸３７とからなる。取付ベース側の固定軸１１は、取付ベース１の中央（左右両側の各ねじ挿通穴１０の間）に略軸状に、この場合、先端から基端に向けて漸次拡径されるテーパ状に突出形成され、内部は取付ベース１の中央を開口されて貫通されかつ取付ベース１側の端部が少し拡径された貫通穴１２になっている。ストッパーレバー側の２重構造の軸３７は、ストッパーレバー３の一部、この場合、一端が２重の略円筒状に形成され、内部にねじ孔３８０を有し、取付ベース１の固定軸１１の貫通穴１２に嵌挿可能な内側の軸３８、及び取付ベース１の固定軸１１の外周面上に外嵌可能な外側の軸３９からなる。
そして、この取付ベース１とストッパーレバー３は、ストッパーレバー３の内側の軸３８が取付ベース１の固定軸１１の貫通穴１２に嵌挿されるとともに、外側の軸３９が固定軸１１の外周面上に外嵌され、この状態から、まず取付ベース１の固定軸１１の貫通穴１２の取付ベース１側の端部に圧縮コイルスプリング４０が挿入されてストッパーレバー３の内側の軸３８の周囲に巻装され、続いて取付ねじ４１が取付ベース１の貫通穴１２に取付ベース１の開口側から通され、ストッパーレバー３の内側の軸３８のねじ孔３８０に締め込まれて、取付ベース１にストッパーレバー３が取り付けられる。このようにしてストッパーレバー３は一端が取付ベース１に軸２を介して取り付けられ、軸２に対して直角の１方向に延ばされる。
【００１３】
また、このストッパーＳは、図１に示すように、軸２の軸芯回りで取付ベース１とストッパーレバー３との間に、取付ベース１上でストッパーレバー３を所定の角度単位に位置決めする位置決め係合部５を備える。位置決め係合部５は、図４乃至図６、及び図８に示すように、ストッパーレバー３の外側の軸３９の先端縁部とこの先端縁部に対応する取付ベース１の固定軸１１の周囲との間に、ストッパーレバー３を取付ベース１に所定の角度単位で相互に係合して位置決め可能な凹凸形状部により構成され、取付ベース１の固定軸１１側の面で固定軸１１の周囲に上部から９０°間隔（単位）で４箇所に形成される係合凸部５１と、ストッパーレバー３の一端の外側の軸３９の先端縁に、取付ベース１の各係合凸部５１に対応して、上部から９０°間隔（単位）で４箇所に形成される係合凹部５２とからなる。この場合、取付ベース１の各係合凸部５１は略台形状に形成され、ストッパーレバー３の各係止凹部５２は取付ベース１の各係合凸部５１に係合可能に略台形状に形成される。
このようにして取付ベース１上でストッパーレバー３が９０°単位に位置決めされる。例えば、ストッパーレバー３を取付ベース１の固定軸１１の回りで回動し、ストッパーレバー３の底面部３５を右又は左（真横）に向けると、取付ベース１の各係合凸部５１とストッパーレバー３の各係止凹部５２が係合して、この状態が保持され、これが手の操作感覚として得られる。この場合、この状態はストッパーレバー３の収納状態となる。そして、このストッパーレバー３の収納状態からストッパーレバー３（の底面部３５）を下に向けて回動すると、取付ベース１の固定軸１１の内部で圧縮コイルスプリング４０を圧縮しつつ、ストッパーレバー３の各係止凹部５２が取付ベース１の各係合凸部５１から外れてストッパーレバー３の各係合凹部５２間の縁部が取付ベース１の各係合凸部５１に乗り上げて、ストッパーレバー３の２重構造の軸３７が取付ベース１から各係合凸部５１の高さだけ浮き上がりながら取付ベース１の固定軸１１のテーパ状で少し径の小さい部分で円滑に回動し、ストッパーレバー３の底面部３５が下（直下）に達すると、取付ベース１の固定軸１１の内部で圧縮コイルスプリング４０の弾性復帰とともに、取付ベース１の各係合凸部５１とストッパーレバー３の各係止凹部５２が係合されて、この状態が保持され、これが手の操作感覚として得られる。この場合、この状態はストッパーレバー３のロック状態となる。
また、ストッパーレバー３の収納状態からストッパーレバー３を上に向けて回動し、ストッパーレバー３の底面部３５を上（直上）に向けて回動すると、取付ベース１の固定軸１１の内部で圧縮コイルスプリング４０を圧縮しつつ、ストッパーレバー３の各係止凹部５２が取付ベース１の各係合凸部５１から外れてストッパーレバー３の各係合凹部５２間の縁部が取付ベース１の各係合凸部５１に乗り上げて、ストッパーレバー３の２重構造の軸３７が取付ベース１から各係合凸部５１の高さだけ浮き上がりながら取付ベース１の固定軸１１のテーパ状で少し径の小さい部分で円滑に回動し、ストッパーレバー３の底面部３５が上（直上）に達すると、取付ベース１の固定軸１１の内部で圧縮コイルスプリング４０の弾性復帰とともに、取付ベース１の各係合凸部５１とストッパーレバー３の各係止凹部５２が係合されて、この状態が保持され、これが手の操作感覚として得られる。この場合、この状態はストッパーレバー３のアンロック状態となる。なお、この状態でもストッパーレバー３のロック状態として使用される場合がある。
【００１４】
さらに、このストッパーＳは、図１に示すように、ストッパーレバー３に、ストッパーレバー３の回動に連動して、ストッパーレバー３が所定の角度単位の位置に位置決めされた状態、又はストッパーレバー３が所定の角度単位の位置に位置決めされていない状態を表示するインジケータ６を備える。インジケータ６は、図２及び図８に示すように、取付ベース１の固定軸１１の先端縁部に形成され、ストッパーレバー３が所定の角度単位の位置に位置決めされた状態を表示するための表示部材６１が付される表示部材付設部６２と、ストッパーレバー３の２重構造の軸３７の基端面となるストッパーレバー３の一端の表面に形成され、表示部材６１を外部に表示するための表示窓６３とからなる。この場合、表示部材付設部６２は、取付ベース１の固定軸１１の先端縁部を、ストッパーレバー３の所定の角度単位での位置決めに対応して、所定の角度の間隔で分割して形成され、それぞれの表面にストッパーレバー３が所定の角度単位の位置に位置決めされた状態を表示するための表示部材６１が付設される。この表示部材付設部６２の場合、図９に示すように、固定軸１１の先端縁部が軸心から上下左右に９０°の間隔で溝６２１を介して分割され、その上下左右の各表示部材付設部６２に表示部材６１が付される。表示部材６１には色が用いられ、各表示部材付設部６２に塗装又はテープなどの貼付により色が付けられる。また、この場合、インジケータ６により表示するストッパーレバー１が所定の角度単位の位置に位置決めされた状態は、ストッパーレバー３が物品に対して係合される態様と、ストッパーレバー３が物品から離間して収納される態様と、物品に対して係合される態様があるので、各態様で異なる表示とし、異なる色が用いられる。ここでは、上部の表示部材付設部６２はストッパーレバー３が物品に対して係合される態様で、ストッパーレバー３が所定の角度単位の位置に位置決めされた状態を示す「赤」が付され、左右の表示部材付設部６２はそれぞれ、ストッパーレバー３が物品から離間して収納される態様で、ストッパーレバー３が所定の角度単位の位置に位置決めされた状態を示す「青」が付され、下部の表示部材付設部６２は、ストッパーレバー３が物品に対して係合されていない態様で、ストッパーレバー３が所定の角度単位の位置に位置決めされた状態を示す「黒」が付される。表示窓６３は、ストッパーレバー３の２重構造の軸３７の基端面となるストッパーレバー３の一端の表面において、内側の軸３８と外側の軸３９の間で、ストッパーレバー３の所定の角度単位での位置決めされた状態の、１箇所の表示部材付設部６２に対応する位置、ここでは、上部の表示部材付設部６２に対応する軸芯から上部９０°の範囲内に、表示部材６１の平面積と略同じ大きさに又は少し小さく形成される。
【００１５】
図１０乃至図１３にこのストッパーＳの使用例を示し、図１４乃至図１６にその使用状態を示している。
図１０、図１１は、このストッパーＳを、引き出し式の物品（例えば、保管ラック内の引き出しＤ、航空機内のギャレーＧに収納されたサービスカートＣなど）の出し入れ口若しくは出し入れ面の縁部に当該物品に係合可能に設置して、当該物品の移動を規制する状態を示している。
この場合、ストッパーＳは、取付ベース１が物品の出し入れ口の縁部に取付ねじにより固定されて取り付けられる。そして、図１４に示すように、ストッパーレバー３を取付ベース１の固定軸１１の回りで回動し、ストッパーレバー３の底面部３５を右又は左（真横）に向けると、（図８参照）取付ベース１の各係合凸部５１とストッパーレバー３の各係止凹部５２が係合して、この状態が保持され、これが手の操作感覚として得られる。この場合、この状態はストッパーレバー３の収納状態となる。このとき、インジケータ６の表示窓６３には、図１４に示すように、「青」のみが表示されて、ストッパーレバー３は、物品から離間して収納された態様で、９０°単位の位置に位置決めされた状態であることが示される。
また、このストッパーレバー３の収納状態からストッパーレバー３を下に向けて回動すると、（図８参照）取付ベース１の固定軸１１の内部で圧縮コイルスプリング４０が圧縮されつつ、ストッパーレバー３の各係止凹部５２が取付ベース１の各係合凸部５１から外れてストッパーレバー３の各係合凹部５２間の縁部が取付ベース１の各係合凸部５１に乗り上げて、ストッパーレバー３の２重構造の軸３７が取付ベース１から各係合凸部５１の高さだけ浮き上がりながら取付ベース１の固定軸１１のテーパ状で少し径の小さい部分で円滑に回動する。この間、インジケータ６の表示窓６３には「青」と「赤」の両方が表示され、ストッパーレバー３は、物品から離間して収納された態様でもなく、また物品に係合された態様でもなく、９０°単位の位置に位置決めされていない状態であることが示される。そして、図１５に示すように、ストッパーレバー３の底面部３５が下（直下）に達すると、（図８参照）取付ベース１の固定軸１１の内部で圧縮コイルスプリング４０の弾性復帰とともに、取付ベース１の各係合凸部５１とストッパーレバー３の各係止凹部５２が係合されて、この状態が保持され、これが手の操作感覚として得られる。この場合、この状態はストッパーレバー３のロック状態となる。このとき、インジケータ６の表示窓６３には、図１５に示すように、「赤」のみが表示されて、ストッパーレバー３は、物品に対して係合された態様で、９０°単位の位置に位置決めされた状態であることが示される。
なお、ストッパーレバー３の収納状態からストッパーレバー３を上に向けて回動し、図１６に示すように、ストッパーレバー３の底面部３５が上（直上）に達すると、同様に、取付ベース１の各係合凸部５１とストッパーレバー３の各係止凹部５２が係合して、この状態が保持され、これが手の操作感覚として得られる。この場合、この状態はストッパーレバー３のアンロック状態となる。このとき、インジケータ６の表示窓６３には、図１６に示すように、「黒」のみが表示されて、ストッパーレバー３は、物品から離れて係合されていない態様で、９０°単位の位置に位置決めされた状態であることが示される。
このようにしてストッパーＳを簡単に正しく使用して、このストッパーＳにより物品の移動を確実に規制することができる。
【００１６】
図１２、図１３は、このストッパーＳを、回動式の物品（例えば、乗り物用シートのシートバックＲ背面のテーブルＴ１や蓋付きのボックスＢのテーブルとして利用する蓋Ｔ２など）の回動経路上に当該物品の回動端に係合可能に設置して当該物品を支持する状態を示している。
この場合、ストッパーＳは、取付ベース１が物品の回動経路上の適宜の位置に取付ねじにより固定されて取り付けられる。そして、図１４に示すように、ストッパーレバー３を回動し、ストッパーレバー３の底面部３５を右又は左（真横）に向けると、（図８参照）取付ベース１の各係合凸部５１とストッパーレバー３の各係止凹部５２が係合して、この状態が保持され、これが手の操作感覚として得られる。このとき、インジケータ６の表示窓６３には、図１４に示すように、「青」のみが表示されて、ストッパーレバー３は、物品から離間して収納された態様で、９０°単位の位置に位置決めされた状態であることが示される。続いて、この収納状態からストッパーレバー３を下に向けて回動していくと、インジケータ６の表示窓６３には「青」と「赤」の両方が表示され、ストッパーレバー３は、物品から離間して収納された態様でもなく、また物品に係合された態様でもなく、９０°単位の位置に位置決めされていない状態であることが示される。そして、図１５に示すように、ストッパーレバー３の底面部３５を直下に向けると、取付ベース１の各係合凸部５１とストッパーレバー３の各係止凹部５２が係合されて、この状態が保持され、これが手の操作感覚として得られる。このとき、インジケータ６の表示窓６３には、図１５に示すように、「赤」のみが表示されて、ストッパーレバー３は、物品に対して係合された態様で、９０°単位の位置に位置決めされた状態であることが示される。
なお、収納状態のストッパーレバー３を上に向けて回動し、図１６に示すように、ストッパーレバー３の底面部３５を直上に向けると、同様に、取付ベース１の各係合凸部５１とストッパーレバー３の各係止凹部５２が係合されて、この状態が保持され、これが手の操作感覚として得られる。このとき、インジケータ６の表示窓６３には、図１６に示すように、「黒」のみが表示されて、ストッパーレバー３は、収納状態でもなく、またロック状態でもなく、９０°単位の位置に位置決めされた状態であることが示される。
このようにしてストッパー３を簡単に正しく使用して、このストッパーＳにより物品を確実に支持することができる。
【００１７】
以上説明したように、このストッパーＳでは、ストッパーレバー３を取付ベース１に軸２を介してこの軸２を回動中心として３６０°回動可能に取り付け、軸２の軸芯回りで取付ベース１とストッパーレバー３との間に、取付ベース１上でストッパーレバー３を所定の角度単位に位置決めする位置決め係合部５を設けたので、ユーザーは、ストッパーレバー３を適切な回動位置まで回したことを手の操作感覚で得ることができ、また、ストッパーレバー３に、ストッパーレバー３が所定の角度単位の位置に位置決めされた状態、又はストッパーレバー３が所定の角度単位の位置に位置決めされていない状態を表示するインジケータ６を備えたので、ストッパーレバー３が適切な回動位置にあること、又は適切な回動位置にないこと、を目視で瞬時に確認することができる。したがって、このストッパーＳによれば、ユーザーはストッパーレバー３の回動位置を常に適切な位置に回動して、物品の移動規制や支持を確実に行うことができる。
【００１８】
このストッパーＳはさらに次のような利点を有する。
（１）ストッパーレバー３を取付ベース１に、取付ベース１に略軸状に突出して形成された取付ベース側の固定軸１１とストッパーレバー３の内部に形成されたストッパーレバー側の２重構造の軸３７とからなる軸２により、圧縮コイルスプリング４０、及び取付ねじを介して取り付けるので、簡単な構造で、ストッパーレバー３を軸２を回動中心として３６０°回動可能に取り付けることができる。
（２）上記の取付ベース１とストッパーレバー３との取付構造を利用して、位置決め係合部５を、ストッパーレバー３の外側の軸３９の先端縁部とこの先端縁部に対応する取付ベース１の固定軸１１の周囲との間に、ストッパーレバー３を取付ベース１に所定の角度単位で相互に係合して位置決め可能な凹凸形状部（係合凸部５１、係合凹部５２）により形成するので、簡単な構造で、取付ベース１上でストッパーレバー３を所定の角度（この場合、９０°）単位に位置決めすることができる。
（３）上記の取付ベース１とストッパーレバー３との取付構造を利用して、インジケータ６を、取付ベース１の固定軸１１の先端縁部をストッパーレバー３の所定の角度単位での位置決めに対応して所定の角度（この場合、９０°）の間隔で分割して形成し、それぞれに、ストッパーレバー３が所定の角度（この場合、９０°）単位の位置に位置決めされた状態を表示するための表示部材６１を付設した複数の表示部材付設部６２と、ストッパーレバー３の２重構造の軸３７の、取付ベース１の固定軸１１に形成された任意の１箇所の表示部材付設部６２に対応する位置に、表示部材６１の平面積と略同じ大きさに又は少し小さく形成し、表示部材６１を外部に表示するための表示窓６３とにより構成し、そして、インジケータ６により表示するストッパーレバー３が所定の角度単位の位置に位置決めされた状態を、ストッパーレバー３が物品に対して係合される態様と、ストッパーレバー３が物品から離間して収納される態様と、ストッパーレバー３が物品に対して係合されていない態様とで異なる色の表示としたので、簡単な構造で、ストッパーレバー３が物品から離間して収納された態様で、ストッパーレバー３が所定の角度単位の位置に位置決めされた状態、又はストッパーレバー３が物品に対して係合された態様で、ストッパーレバー３が所定の角度単位の位置に位置決めされた状態、又はストッパーレバー３が物品に対して係合されていない態様で、ストッパーレバー３が所定の角度単位の位置に位置決めされた状態、又はストッパーレバー３が所定の角度単位の位置に位置決めされていない状態を表示することができる。また、この場合、各表示部材付設部６２間に溝６２１を設けたことで、塗装が容易になり、色を付けやすくすることができる。
【００１９】
なお、この実施の形態では、位置決め係合部５を、ストッパーレバー３の外側の軸３９の先端縁部とこの先端縁部に対応する取付ベース１の固定軸１１の周囲との間に、ストッパーレバー３を取付ベース１に所定の角度単位で相互に係合して位置決め可能な凹凸形状部として設けたが、ストッパーレバー又は取付ベースの一方にディテント溝、他方にディテントボールを設けて、ディテント機構により構成してもよい。また、この位置決め係合部５は、ストッパーレバーの外側の軸の内周面と取付ベースの固定軸の外周面に設けてもよい。このようにしても上記と同様の作用効果を得ることができる。また、この場合、位置決め係合部５を９０°間隔で形成し、表示部材付設部６２を９０°間隔で形成したが、この位置決め係合部を例えば４５°間隔、３０°間隔といった小さな間隔で形成し、これに併せて表示部材付設部を例えば４５°間隔、３０°間隔といった小さな間隔で形成してもよく、このようにすることで、ストッパーレバーの停止位置を種々に設定、変更することができ、このストッパーのユーザー毎の独自の使い方によるユーザー毎のニーズに即対応することができる。
また、この実施の形態では、インジケータ６を、取付ベース１の固定軸１１の先端縁部にストッパーレバー３の所定の角度単位での位置決めに対応して所定の角度の間隔で分割して形成し、それぞれに、ストッパーレバー３が所定の角度単位の位置に位置決めされた状態を表示するための表示部材６１を付設した複数の表示部材付設部６２と、ストッパーレバー３の２重構造の軸３７の、取付ベース１の固定軸１１に設けられた任意の１箇所の表示部材付設部６２に対応する位置に、表示部材６１の平面積と略同じ大きさに又は少し小さく形成し、表示部材６１を外部に表示するための表示窓６３とにより構成したが、このインジケータは、取付ベースの固定軸の外周面にストッパーレバーの所定の角度単位での位置決めに対応して所定の角度の間隔で分割して形成し、それぞれに、ストッパーレバーの所定の角度単位の位置に位置決めされた状態を表示するための表示部材を付設した複数の表示部材付設部と、ストッパーレバーの２重構造の軸の外周面で、取付ベースの固定軸に設けられた任意の１箇所の表示部材付設部に対応する位置に、表示部材の平面積と略同じ大きさに又は少し小さく形成し、表示部材を外部に表示するための表示窓とにより構成してもよい。このようにしても上記と同様の作用効果を得ることができる。また、このインジケータ６の場合、表示窓６３を１箇所としたが、インジケータの表示部材の表示方法は種々に変更可能であり、例えば表示窓を２箇所以上に、それぞれ、所定の間隔を介して又は相互に近接させて設けてもよい。また、表示窓６３に色を表示したが、絵、文字（数字を含む）などを表示するようにしてもよい。このようにすることで、このストッパーのユーザーのよる用途の拡大を図ることができる。
さらに、この実施の形態では、取付ベース１を矩形状としたが、例えば円形とするなど、種々に変更可能である。また、ストッパーレバー３は軸２に対して直角の１方向に延びるものとしたが、物品の移動規制の態様又は支持の態様に応じて、例えば軸に対して上下に又は略Ｖ字形に形成して、２方向に延びるものとしてもよい。このようにしても上記と同様の作用効果を得ることができる。
【符号の説明】
【００２０】
Ｓ  ストッパー
１  取付ベース
１０  ねじ挿通穴
１１  固定軸
１２  貫通穴
２  軸
３  ストッパーレバー
３１  正面部
３２  周面部
３３  正面部
３４  側面部
３５  底面部
３６  凸状
３７  ２重構造の軸
３８  内側の軸
３８０  ねじ孔
３９  外側の軸
４０  圧縮コイルスプリング
４１  取付ねじ
５  位置決め係合部
５１  係合凸部
５２  係合凹部
６  インジケータ
６１  表示部材
６２  表示部材付設部
６２１  溝
６３  表示窓
Ｄ  引き出し
Ｇ  ギャレー
Ｃ  カート
Ｒ  シートバック
Ｔ１  テーブル
Ｂ  ボックス
Ｔ２  蓋
【図１】
0006383612.tif 000002
【図２】
0006383612.tif 000003
【図３】
0006383612.tif 000004
【図４】
0006383612.tif 000005
【図５】
0006383612.tif 000006
【図６】
0006383612.tif 000007
【図７】
0006383612.tif 000008
【図８】
0006383612.tif 000009
【図９】
0006383612.tif 000010
【図１０】
0006383612.tif 000011
【図１１】
0006383612.tif 000012
【図１２】
0006383612.tif 000013
【図１３】
0006383612.tif 000014
【図１４】
0006383612.tif 000015
【図１５】
0006383612.tif 000016
【図１６】
0006383612.tif 000017